(57)【要約】【課題】重力方向を加味した偏磁気予圧をかける記録ディスク装置を提供すること。【解決手段】軸受保持部材２０の延出部２３の上面に配置されたマグネット６０は、半円を最大形状とし、トレイ５の引き出し方向と周方向に同方向となるように配置される。このマグネット６０とロータホルダ８０との軸方向の引力により偏磁気予圧が発生する。これにより、シャフト７０は重力方向もしくは重力方向と正反対方向とは異なる角度にて傾くことにより、重力と偏磁気予圧が相殺されずに、振れまわりを抑えることができる。【選択図】図３
2007035239.tif 000002
【特許請求の範囲】
【請求項１】
円盤状のディスクを脱着可能に装着することができる、ディスク駆動装置であって、
前記ディスクを内部に収容する、筐体と、
前記筐体内に設置され、該筐体に対して所定の回転軸の回りに回転し、前記ディスクが脱着可能に取り付けられ、構成素材の少なくとも一部が磁性金属材料である回転体と、
該回転体を回転可能に支持する、固定部を有する、ブラシレスモータと、
前記ディスクを載置するディスク載置部を有し、前記回転軸に対して垂直な一方向に沿って双方向に移動可能で、かつ、前記ディスク載置部に載置されたディスクの中心が前記回転軸に略一致する位置と、前記ディスクを筐体外部に取り出すことが可能な位置の、２つの位置の間を移動することができる、ディスクトレイと、
前記回転部に対して必要な磁気的吸引力が生じうる程度に近接して配置され、かつ、前記固定体に取り付けられた、磁気予圧磁石と、を備え、
前記磁気予圧磁石と前記回転部の間に作用する回転軸方向の磁気吸引力が作用する箇所が、前記回転軸に対して前記一方向に沿った何れかの側に、偏倚していることを特徴とするディスク駆動装置。
【請求項２】
前記磁気予圧磁石は、
前記回転体の前記磁性金属材料の部位に対して軸方向に対向するように前記固定部材に固定されることを特徴とする請求項１に記載のディスク駆動装置。
【請求項３】
前記磁気予圧磁石は、半円を最大形状とする円弧状に形成されていることを特徴とする請求項１および請求項２のいずれかに記載のディスク駆動装置。
【請求項４】
前記磁気予圧磁石は環状に形成され、該磁気予圧磁石における磁力が前記回転体を前記ディスクトレイの前記一方向に沿った何れかの側に偏奇することを特徴とする請求項１乃至請求項３のいずれかに記載のディスク駆動装置。
【請求項５】
前記回転体が前記回転軸に対して傾く方向は、重力方向と反対側ではないことを特徴とする請求項１乃至請求項４のいずれかに記載のディスク駆動装置。
【請求項６】
前記回転体は、油に浸した焼結体にて形成されたスリーブによって回転自在に支持されることを特徴とする請求項１乃至請求項５のいずれかに記載のディスク駆動装置。
【請求項７】
前記磁気予圧磁石が最も作用する位置は、前記回転軸に対して前記ディスクトレイの前記一方向において、前記ディスクトレイが前記筐体より外側に引き出される方向であることを特徴とする請求項１乃至請求項６のいずれかに記載のディスク駆動装置。
【請求項８】
円盤状のディスクを脱着可能に装着することができる、ディスク駆動装置であって、
前記ディスクを内部に収容する、筐体と、
前記筐体内に設置され、該筐体に対して所定の回転軸の回りに回転し、前記ディスクが脱着可能に取り付けられ、前記回転軸に沿って回転するロータマグネットを有する回転体と、
該回転体を回転可能に支持する、構成素材の少なくとも一部が磁性材料である固定部を有する、ブラシレスモータと、
前記ディスクを載置するディスク載置部を有し、前記回転軸に対して垂直な一方向に沿って双方向に移動可能で、かつ、前記ディスク載置部に載置された前記ディスクの中心が前記回転軸に略一致する位置と、前記ディスクを筐体外部に取り出すことが可能な位置の、２つの位置の間を移動することができる、ディスクディスクトレイと、
前記固定部の磁性材料の部位は、該ロータマグネットの一部に軸方向に対向し、前記ロータマグネットに軸方向に対向する他の部分より該ロータマグネットに近接し、
前記ロータマグネットと前記固定部の磁性材料の部位との間に作用する回転軸方向の磁気吸引力が作用する箇所が、前記回転軸に対して前記一方向に沿った何れかの側に、偏倚していることを特徴とするディスク駆動装置。
【請求項９】
前記固定部の磁性材料は、磁性鋼板であり、
該磁性鋼板をプレス加工により突出部を形成して、前記ロータマグネットと近接させることを特徴とする請求項８に記載のディスク駆動装置。
【請求項１０】
前記突出部は、前記ロータマグネットの径と略同一の径を有する円弧形状にて形成されることを特徴とする請求項８および請求項９のいずれかに記載のディスク駆動装置。
【請求項１１】
円盤状のディスクを着脱可能に装着できるディスク駆動装置であって、
前記ディスクを内部に収容する、筐体と、
前記筐体内に設置され、該筐体に対して所定の回転軸の回りに回転し、前記ディスクが脱着可能に取り付けられ、前記回転軸の回りを回転するロータマグネットおよび該ロータマグネットを保持するロータホルダを有する回転体と、
該回転体を回転可能に支持する油を浸した焼結体にて成形された略円筒形状のスリーブ、および磁性材料であり、前記スリーブの外周面を保持する略円筒形状の軸受保持部を有する固定部と、
を備える、ブラシレスモータと、
前記ディスクを載置するディスク載置部を有し、前記回転軸に対して垂直な一方向に沿って双方向に移動可能で、かつ、前記ディスク載置部に載置された前記ディスクの中心が前記回転軸に略一致する位置と、前記ディスクを筐体外部に取り出すことが可能な位置の、２つの位置の間を移動することができる、ディスクディスクトレイと、
前記ロータホルダは、前記ロータマグネットを保持する円筒部と、前記スリーブを覆う蓋面と、を有し、
前記軸受保持部の上端面には、前記ロータホルダの前記蓋面に対して必要な磁気的吸引力が生じうる程度に近接して配置される磁気予圧磁石が固定され、
前記磁気予圧磁石と前記回転部の間に作用する回転軸方向の磁気吸引力が作用する箇所が、前記回転軸に対して前記一方向における、前記引き出し部が前記筐体より外側に引き出される方向に偏倚していることを特徴とするディスク駆動装置。
【請求項１２】
前記ディスクを毎分１００回転以下にて回転される低速回転モードを有することを特徴とする請求項１乃至請求項１１のいずれかに記載のディスク駆動装置。
【発明の詳細な説明】
【技術分野】
【０００１】
本発明は、記録再生ディスクを駆動するブラシレスモータを搭載したディスク駆動装置に関する。
【背景技術】
【０００２】
近年、ブルーレイおよびＨＤ−ＤＶＤの高記録容量に対応する新規の記録再生方法の採用により、これに使用される記録再生ディスクの高回転精度化が求められている。特に記録再生の誤作動を防止するため、および記録再生ディスクの回転振動を抑えるために記録再生ディスクを載置するブラシレスモータの載置部の振れ精度は従来の約２倍の精度の高振れ精度が要求される傾向にある。また記録面とは反対側の面に絵や模様を描くために、これを載置部上で低速回転させることもある。このため、記録再生ディスクを低速回転、特に１００ｒｐｍ以下においても高回転精度の特性を有するブラシレスモータが求められる。また同時にブラシレスモータの低価格化も求められることから軸受を含油焼結軸受等のすべり軸受に移行している。しかしすべり軸受において、このような低速回転では、回転速度の半分の周波数成分が顕著に表れる、いわゆるハーフスピードホワ−ル現象が見られる。この現象が振動や回転ムラの原因となり、回転精度向上の障害となっている。この現象の発生を防止するために、回転軸と軸受との間隙を狭くする方法や、片側に磁気バイアスをかける偏磁気予圧を行なう方法により回転軸を一方向に傾かせて軸受支持させ、回転軸の振れまわりを防止する対策が採用されている（このような従来の磁気バイアスの方法として、例えば特許文献１参照）。
【０００３】
【特許文献１】特開平０４−０５８０６５号公報
【発明の開示】
【発明が解決しようとする課題】
【０００４】
しかしながら、回転軸と軸受との間隙を狭くする方法では、回転軸の外径と軸受の内径とに高精度な寸法要求をしなければならず、大幅なコストアップを必要としてしまう。さらに組立時において回転軸と軸受との挿入の際に間隙が狭いために接触させてしまい、すべり軸受を傷つける可能性もある。加えて回転軸と軸受との回転による接触により軸受が削れてしまい、経年においては間隙が広くなってしまう可能性もある。
【０００５】
また偏磁気予圧を行なう方法では、偏磁気予圧方向が重力方向と正反対では偏磁気予圧と重力とが相殺してしまい、偏磁気予圧を行なう意味がなくなってしまう。さらに偏磁気予圧と重力との方向が同一であれば、過剰な力が軸の一方向にかかってしまい、軸受が過剰に削れてしまうので軸受寿命に影響を与えてしまう可能性がある。
【０００６】
したがって、本発明は上記問題に鑑み、なされたものであり、その目的とするところは、重力方向を加味した偏磁気予圧をかける記録ディスク装置を提供することである。
【課題を解決するための手段】
【０００７】
本発明の請求項１によれば、円盤状のディスクを脱着可能に装着することができる、ディスク駆動装置であって、前記ディスクを内部に収容する、筐体と、前記筐体内に設置され、該筐体に対して所定の回転軸の回りに回転し、前記ディスクが脱着可能に取り付けられ、構成素材の少なくとも一部が磁性金属材料である回転体と、該回転体を回転可能に支持する、固定部を有する、ブラシレスモータと、前記ディスクを載置するディスク載置部を有し、前記回転軸に対して垂直な一方向に沿って双方向に移動可能で、かつ、前記ディスク載置部に載置されたディスクの中心が前記回転軸に略一致する位置と、前記ディスクを筐体外部に取り出すことが可能な位置の、２つの位置の間を移動することができる、ディスクトレイと、前記回転部に対して必要な磁気的吸引力が生じうる程度に近接して配置され、かつ、前記固定体に取り付けられた、磁気予圧磁石と、を備え、前記磁気予圧磁石と前記回転部の間に作用する回転軸方向の磁気吸引力が作用する箇所が、前記回転軸に対して前記一方向に沿った何れかの側に、偏倚していることを特徴とする。
【０００８】
本発明の請求項１に従えば、磁気予圧磁石による回転軸方向の磁気的吸引力がディスクトレイの回転軸と一致する位置と筐体外部に取り出すことが可能な位置の間の一方向に沿った方向に偏奇することによって、筐体を載置可能なあらゆる方向に傾けて載置したとしても磁気的吸引力を回転体に及ぼすことができる。したがって、回転体の回転振れを抑えることができ、ハーフホワール現象の発生を防止することができる。さらに固定部材に磁気予圧磁石を固定することにより、磁気予圧磁石自体に回転による遠心力等の力が働かないので、磁気予圧磁石が位置ずれを起こすことがなく、安定した偏磁気予圧を行なうことができる。
【０００９】
本発明の請求項２によれば、請求項１に係り、前記磁気予圧磁石は、前記回転体の前記磁性金属材料の部位に対して軸方向に対向するように前記固定部材に固定されることを特徴とする。
【００１０】
本発明の請求項２に従えば、磁気予圧磁石が回転体を軸方向に磁気的に吸引することによって、回転体を良好に偏奇することができる。特に回転中においても常に一方向に傾かせることができる。
【００１１】
本発明の請求項３によれば、請求項１および請求項２のいずれかに係り、前記磁気予圧磁石は、半円を最大形状とする円弧状に形成されていることを特徴とする。
【００１２】
本発明の請求項３に従えば、この磁気予圧磁石の最大形状を半円にすることにより、回転軸を傾かせる以上の力を回転部材に働かせることがなくなるので、偏磁気予圧による過剰な電流値上昇を抑えることができる。
【００１３】
本発明の請求項４によれば、請求項１乃至請求項３のいずれかに係り、前記磁気予圧磁石は環状に形成され、該磁気予圧磁石における磁力が前記回転体を前記ディスクトレイの前記一方向に沿った何れかの側に偏奇することを特徴とする。
【００１４】
本発明の請求項４に従えば、磁気予圧磁石を環状に成形することができるので、製造費を抑えることができる。さらに固定部材との当接面積が大きくなるので、外部衝撃等に対しての耐性も向上することができる。
【００１５】
本発明の請求項５によれば、請求項１乃至請求項４のいずれかに係り、前記回転体が前記回転軸に対して傾く方向は、重力方向と反対側ではないことを特徴とする。
【００１６】
本発明の請求項５に従えば、重力方向と磁気的吸引力方向とが反対側である場合、磁気的吸引力は重力によって相殺されてしまうために、回転体に磁気予圧が加わることがなくなってしまう。そのために、重力方向と磁気的吸引力とは反対側以外の方向であることが肝要である。
【００１７】
本発明の請求項６によれば、請求項１乃至請求項５のいずれかに係り、前記回転体は、油に浸した焼結体にて形成されたスリーブによって回転自在に支持されることを特徴とする。
【００１８】
本発明の請求項６に従えば、回転体の回転支持に油を浸した焼結体のスリーブを用いることによって、ブラシレスモータを安価に提供することができる。したがって、ディスク駆動装置を安価に提供することができる。
【００１９】
本発明の請求項７によれば、請求項１乃至請求項６のいずれかに係り、前記磁気予圧磁石が最も作用する位置は、前記回転軸に対して前記ディスクトレイの前記一方向において、前記ディスクトレイが前記筐体より外側に引き出される方向であることを特徴とする。
【００２０】
本発明の請求項７に従えば、特に磁気予圧磁石の磁気的吸引力がディスクトレイが外側に引き出される方向である場合、重力方向と磁気的吸引力とが反対方向となることはないので、磁気的吸引力によって回転体は安定した回転を実現することができる。
【００２１】
本発明の請求項８によれば、円盤状のディスクを脱着可能に装着することができる、ディスク駆動装置であって、前記ディスクを内部に収容する、筐体と、前記筐体内に設置され、該筐体に対して所定の回転軸の回りに回転し、前記ディスクが脱着可能に取り付けられ、前記回転軸に沿って回転するロータマグネットを有する回転体と、該回転体を回転可能に支持する、構成素材の少なくとも一部が磁性材料である固定部を有する、ブラシレスモータと、前記ディスクを載置するディスク載置部を有し、前記回転軸に対して垂直な一方向に沿って双方向に移動可能で、かつ、前記ディスク載置部に載置された前記ディスクの中心が前記回転軸に略一致する位置と、前記ディスクを筐体外部に取り出すことが可能な位置の、２つの位置の間を移動することができる、ディスクディスクトレイと、前記固定部の磁性材料の部位は、該ロータマグネットの一部に軸方向に対向し、前記ロータマグネットに軸方向に対向する他の部分より該ロータマグネットに近接し、前記ロータマグネットと前記固定部の磁性材料の部位との間に作用する回転軸方向の磁気吸引力が作用する箇所が、前記回転軸に対して前記一方向に沿った何れかの側に、偏倚していることを特徴とする。
【００２２】
本発明の請求項８に従えば、磁気予圧磁石による回転軸方向の磁気的吸引力がディスクトレイの回転軸と一致する位置と筐体外部に取り出すことが可能な位置の間の一方向に沿った方向に偏奇することによって、筐体を載置可能なあらゆる方向に傾けて載置したとしても磁気的吸引力を回転体に及ぼすことができる。したがって、回転体の回転振れを抑えることができ、ハーフホワール現象の発生を防止することができる。さらにロータマグネットと軸方向に近接して磁気的吸引力を発生させるために、回転軸から磁気的吸引力までの径方向の長さが大きくなり、より効果的に回転体を偏奇することができる。
【００２３】
本発明の請求項９によれば、請求項８に係り、前記固定部の磁性材料は、磁性鋼板であり、該磁性鋼板をプレス加工により突出部を形成して、前記ロータマグネットと近接させることを特徴とする。
【００２４】
本発明の請求項９に従えば、磁性鋼板をプレス加工によって突出部を設けてロータマグネットと近接させることによって、部品点数を削減することができる。したがって、安価なディスク駆動装置を提供することができる。
【００２５】
本発明の請求項１０によれば、請求項８および請求項９のいずれかに係り、前記突出部は、前記ロータマグネットの径と略同一の径を有する円弧形状にて形成されることを特徴とする。
【００２６】
本発明の請求項１０に従えば、突出部が円弧形状にて形成されることによって、回転体を偏奇させる方向を突出部にて決定させることができる。さらに突出部の径とロータマグネットの径とを略同一とすることによってより効果的に回転体を偏奇させることができる。
【００２７】
本発明の請求項１１によれば、円盤状のディスクを着脱可能に装着できるディスク駆動装置であって、前記ディスクを内部に収容する、筐体と、前記筐体内に設置され、該筐体に対して所定の回転軸の回りに回転し、前記ディスクが脱着可能に取り付けられ、前記回転軸の回りを回転するロータマグネットおよび該ロータマグネットを保持するロータホルダを有する回転体と、該回転体を回転可能に支持する油を浸した焼結体にて成形された略円筒形状のスリーブ、および磁性材料であり、前記スリーブの外周面を保持する略円筒形状の軸受保持部を有する固定部と、を備える、ブラシレスモータと、前記ディスクを載置するディスク載置部を有し、前記回転軸に対して垂直な一方向に沿って双方向に移動可能で、かつ、前記ディスク載置部に載置された前記ディスクの中心が前記回転軸に略一致する位置と、前記ディスクを筐体外部に取り出すことが可能な位置の、２つの位置の間を移動することができる、ディスクディスクトレイと、前記ロータホルダは、前記ロータマグネットを保持する円筒部と、前記スリーブを覆う蓋面と、を有し、前記軸受保持部の上端面には、前記ロータホルダの前記蓋面に対して必要な磁気的吸引力が生じうる程度に近接して配置される磁気予圧磁石が固定され、前記磁気予圧磁石と前記回転部の間に作用する回転軸方向の磁気吸引力が作用する箇所が、前記回転軸に対して前記一方向における、前記引き出し部が前記筐体より外側に引き出される方向に偏倚していることを特徴とする。
【００２８】
本発明の請求項１１に従えば、磁気予圧磁石による回転軸方向の磁気的吸引力がディスクトレイの回転軸と一致する位置と筐体外部に取り出すことが可能な位置の間の一方向に沿った方向に偏奇することによって、筐体を載置可能なあらゆる方向に傾けて載置したとしても磁気的吸引力を回転体に及ぼすことができる。したがって、回転体の回転振れを抑えることができ、ハーフホワール現象の発生を防止することができる。
【００２９】
本発明の請求項１２によれば、請求項１乃至請求項１１のいずれかに係り、前記ディスクを毎分１００回転以下にて回転される低速回転モードを有することを特徴とする。
【００３０】
本発明の請求項１２に従えば、低速回転モードでは特に回転体の振れ回りが顕著であるために、磁気的吸引力によって回転体を一方向に傾かせることによって回転振れを顕著に安定させることができる。
【発明の効果】
【００３１】
本発明に従えば、筐体の向きにかかわらず、安定した偏磁気予圧を行なうことにより、低速回転においても回転軸の振れまわりを抑え、ハーフスピードホワ−ル現象を発生させない信頼性の高いブラシレスモータを提供することである。
【発明を実施するための最良の形態】
【００３２】
＜光ディスク装置の全体構成＞
図１は本発明に係る光ディスク駆動装置１の模式断面図である。以下、明細書の上下方向は図の上下方向に対応する。図１のａ）は光ディスク駆動装置１の外観図を示した斜視図であり、ｂ）は後述する筐体４のブラシレスモータ３付近の部分を示した模式断面図である。また図中の矢印は後述するディスクトレイ５の引き出し方向を示している。
【００３３】
図１のａ）およびｂ）を参照して、光ディスク駆動装置１は、円板形状の記録再生ディスク２を載置し、回転駆動させるブラシレスモータ３を取り付け固定する略長方形の筐体４と、この筐体４に収容可能であり、記録再生ディスク２をブラシレスモータ３に載置する引出し部であるディスクトレイ５と、筐体４に固定され、記録再生ディスク２の記録もしくは読み取りを行なう光ピックアップ６と、記録再生ディスク２を上側より固定するクランプ７とから構成される。そしてディスクトレイ５は、記録再生ディスク２を載置するディスク載置部５ａを有し、図１のａ）の矢印ように移動する。また詳細な駆動および構成は、例えば日本特許３６０９９５２号公報に記載されるような駆動および構成と同様である。
【００３４】
＜ブラシレスモータの全体構成＞
次に光ディスク装置１に搭載されるブラシレスモータ３の全体構成について説明する。図２は本発明に係るブラシレスモータの模式断面図である。
【００３５】
図２を参照して、軸受であるスリーブ１０は略円筒形状であり、含油焼結部材にて形成されている。その内周面には、上下側にそれぞれ内径を縮径した上側軸受部１１および下側軸受部１２が形成されている。
【００３６】
このスリーブ１０の外周面には、有底円筒形状の軸受保持部材２０がスリーブ１０を保持するように固定されている。また軸受保持部材２０の円筒部に当接されるように円環状のステータ３０が固定されている。
【００３７】
また軸受保持部２０の底部には、円筒部を縮径した凹部２１が形成されており、円筒部と凹部２１との連結部となる段部２２には、後述するシャフト６０の抜け止めの役目を果たす円環状の抜け止め部４０が配置される。この抜け止め部４０の上面にスリーブ２０の下端面が当接することによって、スリーブ１０の軸方向の位置が決定されている。さらに凹部２１における底部の上面には、円盤形状のワッシャ５０が配置されている。このワッシャ５０は、摺動性および耐摩耗性の良い樹脂材料にて形成されている。また軸受保持部材２０の円筒部の上端面には、径方向外側に環状に延びる延出部２３が形成されている。そして延出部２３の上面には、略円弧状のマグネット６０が配置されている。
【００３８】
スリーブ１０の内周面には、シャフト７０が挿通する。そしてシャフト７０はスリーブ１０に対して回転自在に支持されている。シャフト７０の上部には、強磁性体の鋼板を有蓋円筒状に形成したロータホルダ８０が固定されている。このロータホルダ８０はプレス加工等の塑性加工によって形成される。そしてロータホルダ８０の円筒部８１の内周面には、円環状のロータマグネット９０がステータ３０の外周面と径方向に微少間隙を介して対向するように接着剤を介して固定されている。
【００３９】
さらにシャフト７０のロータホルダ８０より上部には、記録再生ディスク２を載置するターンテーブル１００が固定されている。ターンテーブル１００の外周縁側の上面には、記録再生ディスク２の回転ずれを防止するラバー１０１が固定されている。ラバー１０１は、摩擦係数の高い材料にて形成され、ターンテーブル１００と粘着剤を介して固定されている。
【００４０】
またシャフト７０の下側にはシャフト７０の径方向の外径が縮径した段部７１が形成されている。この段部７１と抜け止め部４０とが軸方向に重なることにより抜け止め機能を果たす。さらにシャフト７０の下端面は、半球状に形成される。そしてこの半球形状のシャフト７０の下端面とワッシャ５０の上面とが当接して摺動する。
【００４１】
軸受保持部材２０の下側円筒部には、光ディスク駆動装置１の筐体４内に設けられた固定部材７（図１のｂ）参照）と取り付け可能な取付板１１０がネジ等の固定部材（不図示）にて固定されている。この取付板１１０の上面には、ブラシレスモータ３を回転制御する回路基板１２０が固定されている。
【００４２】
外部電源よりステータ３０に通電されることにより、ステータ３０の周囲に磁場が発生する。そしてこの磁場とロータマグネット９０との相互作用により、ブラシレスモータ３は回転駆動する。
【００４３】
＜主要部＞
次に本発明の主要部を図２乃至図４を参照して説明する。図３は図２をＸ−Ｘ方向から見たブラシレスモータ３の模式断面図である。また図３の矢印はディスクトレイ５の引き出し方向を示している。図４はマグネット６０の上面図である。図４の点線はマグネット６０が形成できる最大範囲を示している。
【００４４】
図２を参照して、軸受保持部材２０の延出部２３の上面に配置されたマグネット６０は、マグネット６０の上面と軸方向に対向するロータホルダ８０の蓋部８２の下面を軸方向下側に磁気的に引っ張ることによって、ロータホルダ８０をマグネット６０側に傾ける。すなわち、偏磁気予圧を発生させる。したがって、シャフト７０をマグネット６０側に常に傾けることができる。すなわち、シャフト７０の外周面とスリーブ１０の上側軸受部１１の内周面との微小間隙はほぼゼロとなる。これにより、シャフト７０が全周方向に対して振れ回り自在の場合、すなわち、シャフト７０の外周面とスリーブ１０の上側軸受部１１の内周面との間に微小間隙を有する場合と比較して、シャフト７０の回転振れを抑えることができる。このシャフト７０の回転振れを抑えることにより、ハーフスピードホワ−ル現象の発生を抑えることができる。さらに毎分１００ｒｐｍ以下のような低速回転において特に顕著に発生する記録再生ディスク２の振れまわりによる記録および読み出しの誤作動を防止することができる。またシャフト７０をマグネット６０によって傾けられた周方向における所定の一方方向に固定することにより、回転ムラ等のシャフト７０の振れまわりの要因によるところが大きい現象の発生も抑えることができる。
【００４５】
図３を参照して、光ディスク駆動装置１におけるマグネット６０の配置位置について説明する。
【００４６】
ステータ３０は、コアバック部（図示せず）に周方向等間隔に径方向外側に延びる複数のティース部３１が形成され、このティース部３１の周囲には巻線３２が巻回されている。
【００４７】
マグネット６０は、矢印で示したディスクトレイ５の移動方向に対して同じ方向に取りつける。ここで、マグネット６０による磁気吸引力の最も作用する方向は、ロータホルダ８０が最も傾く方向である、言い換えれば、シャフト７０が最もスリーブ１０の内周面に近接した方向である。マグネット６０によってロータホルダ８０の軸方向下側への最大引張り力は、少なくともディスクトレイ５の移動方向に対して周方向に垂直となる角度以外に加わることが望ましい。
【００４８】
光ディスク駆動装置１が様々な方向に配置されるが、ディスクトレイ５の移動方向、特にディスクトレイ５の引き出し方向と重力方向が一致することはない。したがって、マグネット６０をロータホルダ８０の軸方向下側への最大引張力をディスクトレイ５が筐体４の外側に引き出される方向となるように配置すると、確実にシャフト７０を傾かせることができる。ここで、ブラシレスモータ３単体では、シャフト７０の振れまわりを抑えることができるので、ハーフスピードホワ−ル現象を抑えることができるが、マグネット６０を光ディスク駆動装置１に対して適当な方向に取り付けてしまった場合、マグネット６０の取り付け方向によっては、重力方向と周方向に対してロータホルダ８０の軸方向下側への最大引張力とが正反対方向となるように、マグネット６０を取り付けてしまう可能性がある。重力方向と正反対方向にマグネット６０の最大引張力が加わる場合、マグネット６０の最大引張力と重力とが相殺されてしまい、マグネット６０の役目であるシャフト７０の振れ回りを抑えることができない可能性がある。その結果、光ディスク駆動装置１の状態にてシャフト７０は振れまわり、ハーフスピードホワ−ル現象による記録再生ディスク２の記録再生の誤作動を発生してしまう。
【００４９】
さらにマグネット６０の最大引張力が重力方向と周方向に同一方向とした場合、シャフト７０、ロータホルダ８０、ロータマグネット９０、ターンテーブル１００、記録再生ディスク２の自重による傾き、およびマグネット６０による引張力が加わってしまいスリーブ１０に過剰な力が働く可能性がある。その結果、スリーブ１０とシャフト７０との接触によるスリーブ１０が過剰に削れてしまい、軸受寿命が大幅に低下してしまう問題やスリーブ１０の削り粉がシャフト７０とスリーブ１０との間に入って焼き付きを起こしてしまう問題が発生してしまう。
【００５０】
上記のような不具合を防ぐためにモータ３を光ディスク駆動装置１に取り付ける状態にて、マグネット６０の配置位置、すなわち、シャフト７０を傾ける位置を周方向に対して重力方向および重力方向と正反対方向以外にすることが好適である。
【００５１】
図４を参照して、マグネット６０の形状について説明する。
【００５２】
マグネット６０は円弧状に形成され、重力方向と異なる方向に位置する。このマグネット６０の最大形状は半円であり、半円以上の場合、偏磁気予圧による引力が過剰になる可能性があること、偏磁気予圧の方向が重力方向と重なる可能性があることから適切ではない。またマグネット６０は、重力方向もしくは重力方向と正反対方向と重なることがない範囲で移動可能である。
【００５３】
＜他の実施例＞
図５および図６はマグネット６０以外の方法にて偏磁気予圧を加える実施例を示した図である。ブラシレスモータ３の構成はマグネット６０以外に変更はないので、ブラシレスモータ３の構成の説明は省略する。ここでは偏磁気予圧が加わる部分についてのみ説明する。
【００５４】
図５を参照して、取付板１１０は、強磁性体の鋼板にて形成され、取付板１１０のロータマグネット９０の真下には、軸方向上側に突出する突出部１１１が形成される。したがって、ロータマグネット９０と取付板１１０の突出部１１１との間にロータマグネット９０が軸方向下側へ移動するような引力が働き、偏磁気予圧が発生する。この突出部１１１の周方向の配置位置は、マグネット６０と同様である。
【００５５】
また図６を参照して、回路基板１２０の上面にあり、ロータマグネット９０の軸方向下側にさらにマグネット１３０を配置してもよい。これによりロータマグネット９０とマグネット１３０との間にロータマグネット９０が軸方向下側へ移動するような引力が働き、偏磁気予圧を発生させる。このマグネット１３０の周方向の配置位置は、マグネット６０と同様である。またマグネット１３０以外にも強磁性体を配置しても同様の効果を発揮することができる。
【００５６】
以上、本発明の実施例の一形態について記載してきたが、本発明はこれに限定されることなく、種々の変形が可能である。
【００５７】
例えば、本発明の実施例においては、マグネット６０の最大形状が半円であったが、これに限定されることなく、マグネット６０の強い磁性を有する部分の最大が半円であればよい。したがって、マグネット６０の形状を環状にし、最大で半円部分を強い磁性を有するようにすればよい。これにより、マグネット６０と軸受保持部２０との当接面積が増えるので、固定強度を向上させることができる。その結果、外部衝撃等に対しての耐性を向上させることができる。
【図面の簡単な説明】
【００５８】
【図１】本発明に係る光ディスク駆動装置の実施例の一形態を示した模式断面図である
【図２】本発明に係るブラシレスモータの実施例の一形態を示した模式断面図である
【図３】図１におけるＸ−Ｘ断面図である
【図４】図２のブラシレスモータに搭載されたマグネットの上面図である
【図５】本発明に係るブラシレスモータの他の実施例を示した模式断面図である
【図６】本発明に係るブラシレスモータの他の実施例を示した模式断面図である
【符号の説明】
【００５９】
１      光ディスク駆動装置
２      記録再生ディスク
３      ブラシレスモータ
４      筐体
５      トレイ
１０    スリーブ
２０    軸受保持部
２１    凹部
２２    段部
２３    延出部
３０    ステータ
４０    抜け止め部
５０    ワッシャ
６０、１３０  マグネット（磁気予圧磁石）
７０    シャフト
８０    ロータホルダ
９０    ロータマグネット
１００  ターンテーブル
１１０  取付板
１１１  突出部
１２０  回路基板
【図１】
2007035239.tif 000003
【図２】
2007035239.tif 000004
【図３】
2007035239.tif 000005
【図４】
2007035239.tif 000006
【図５】
2007035239.tif 000007
【図６】
2007035239.tif 000008